(57)【特許請求の範囲】
【請求項１】
外周に形成された被取付部、及び、外周側に突出し槽体又はこの近傍の構造物である取付対象物の表面に配置される鍔部を有し、前記被取付部が前記取付対象物の貫通孔に挿通される筒状のガイド部材と、
前記被取付部に取付可能な取付部を内周に有し、前記被取付部に前記取付部が取付けられ、前記鍔部との間で前記取付対象物を挟み込んだ状態とされた、前記取付対象物に前記ガイド部材を取付けるための筒状の取付部材と、
前記ガイド部材の内周に配置され、前記ガイド部材の軸方向に沿って移動可能な操作ボタンとを備える操作装置であって、
前記ガイド部材は、
前記被取付部を外周に有する樹脂製の筒体と、
前記筒体の軸方向に沿って延びる筒状の基部、及び、当該基部の端部から外周側に突出し前記鍔部を構成する環状の張出部を有し、所定の高強度材からなる環体とを具備し、
前記筒体の一端が前記張出部の背面側に配置されるとともに、前記環体の外周に設けられた凹部に前記筒体が入り込んだ状態で、前記筒体及び前記環体が固定されており、
前記取付対象物に前記ガイド部材を取付けた状態において、前記張出部の表面と前記取付対象物のうち前記張出部の外周側に位置する部位の表面とがほぼ面一とされ、
前記基部の肉厚が、前記張出部の肉厚よりも大きいことを特徴とする操作装置。
【請求項２】
前記凹部は、前記環体の周方向に沿って間欠的に設けられることを特徴とする請求項１に記載の操作装置。
【請求項３】
前記張出部は、前記筒体のうち前記操作ボタンが内周に配置される部位の外周及び内周の径方向に沿った中間位置よりも外周側において、前記基部から突出することを特徴とする請求項１又は２に記載の操作装置。
【請求項４】
前記凹部は、その底面からその他端側側面にかけて湾曲状の湾曲面を有することを特徴とする請求項１乃至３のいずれか１項に記載の操作装置。
【請求項５】
前記張出部の外周面は、前記取付対象物の表面側に向けて徐々に外径が大きくなるテーパ状とされることを特徴とする請求項１乃至４のいずれか１項に記載の操作装置。
【請求項６】
前記張出部は、前記取付対象物に設けられた凹状の窪み部に配置されることを特徴とする請求項１乃至５のいずれか１項に記載の操作装置。
【発明の詳細な説明】
【技術分野】
【０００１】
本発明は、排水口に設けられた栓蓋を操作するための操作装置に関する。
【背景技術】
【０００２】
槽体（例えば、浴槽や洗面器など）の排水口に設けられた栓蓋を、遠隔操作により上下動させ排水口を開閉するために、槽体やその近傍の構造物である取付対象物に操作装置を設けることがある。操作装置としては、一端部（上端部）に径方向外側に突出する鍔部が形成されてなる筒状のガイド部材と、ガイド部材の内周に配置され、ガイド部材の軸方向に沿って移動可能な操作ボタンとを備えるものが知られている（例えば、特許文献１等参照）。
【０００３】
操作ボタンには、その変位を栓蓋側に伝達するための伝達部材（例えば、レリースワイヤなど）が接続され、操作ボタンを変位させることで、排水口の開閉を行うことができる。また、ガイド部材は、外周に雄ねじ部などの被取付部を有しており、当該被取付部が前記取付対象物に設けられた貫通孔に挿通される。そして、ガイド部材は、雌ねじ部などの取付部を有する筒状の取付部材に取付けられ、鍔部と取付部材との間で前記取付対象物を挟み込むことにより、前記取付対象物に対して取付けられる。
【先行技術文献】
【特許文献】
【０００４】
【特許文献１】特開２００６−６３５７０号公報
【発明の概要】
【発明が解決しようとする課題】
【０００５】
ところで、一般にガイド部材としては、被取付部を外周に有する筒状部と前記鍔部とが樹脂により一体的に形成されてなるものが用いられており、前記鍔部は、強度の確保を図るべく、比較的厚肉に形成されている。しかしながら、鍔部を厚肉に構成した場合には、外観品質の低下を招いてしまうとともに、鍔部と取付対象物の表面との間に汚れが付着しやすくなってしまう。また、操作装置を槽体の蓋が置かれる面に設けた場合においては、槽体に対して蓋（例えば、風呂蓋）を閉めたときに、蓋が鍔部上に載置されてしまうと、蓋が浮いてしまうこととなる。
【０００６】
これに対して、鍔部を薄肉とすることも考えられるが、鍔部を単に薄肉とした場合には、鍔部の強度が不足してしまい、鍔部の破損や、取付対象物に対するガイド部材の取付状態の不安定化を招いてしまうおそれがある。
【０００７】
本発明は、上記事情を鑑みてなされたものであり、その目的は、鍔部の破損やガイド部材の取付状態の不安定化を防止しつつ、外観品質の向上や汚れの付着防止等を図ることができる操作装置を提供することにある。
【課題を解決するための手段】
【０００８】
以下、上記目的を解決するのに適した各手段につき、項分けして説明する。なお、必要に応じて対応する手段に特有の作用効果を付記する。
【０００９】
手段１．外周に形成された被取付部、及び、外周側に突出し槽体又はこの近傍の構造物である取付対象物の表面に配置される鍔部を有し、前記被取付部が前記取付対象物の貫通孔に挿通される筒状のガイド部材と、
前記被取付部に取付可能な取付部を内周に有し、前記被取付部に前記取付部が取付けられ、前記鍔部との間で前記取付対象物を挟み込んだ状態とされた、前記取付対象物に前記ガイド部材を取付けるための筒状の取付部材と、
前記ガイド部材の内周に配置され、前記ガイド部材の軸方向に沿って移動可能な操作ボタンとを備える操作装置であって、
前記ガイド部材は、
前記被取付部を外周に有する樹脂製の筒体と、
前記筒体の軸方向に沿って延びる筒状の基部、及び、当該基部の端部から外周側に突出し前記鍔部を構成する環状の張出部を有し、所定の高強度材からなる環体とを具備し、
前記筒体の一端が前記張出部の背面側に配置されるとともに、前記環体の外周に設けられた凹部に前記筒体が入り込んだ状態で、前記筒体及び前記環体が固定されており、
前記取付対象物に前記ガイド部材を取付けた状態において、前記張出部の表面と前記取付対象物のうち前記張出部の外周側に位置する部位の表面とがほぼ面一とされ、
前記基部の肉厚が、前記張出部の肉厚よりも大きいことを特徴とする操作装置。
【００１０】
尚、「ほぼ面一」とあるのは、張出部の表面と取付対象物の表面とが厳密に面一となっている場合のみならず、両者の間に若干（例えば、１ｍｍ以下）の段差があってもよいという趣旨である。また、「高強度材」としては、金属やセラミック、ＰＰＳ等の強度に優れる樹脂などを挙げることができる。
【００１１】
上記手段１によれば、鍔部を構成する張出部の表面と、取付対象物のうち張出部の外周側に位置する部位の表面とがほぼ面一とされている。従って、外観品質を向上させることができるとともに、鍔部（張出部）と取付対象物の表面との間に対する汚れの付着を抑制することができ、さらには清掃性の向上を図ることができる。また、操作装置を槽体の蓋が置かれる面に設けたときには、風呂蓋等の蓋を閉めた場合において、蓋を鍔部上に載置した場合であっても、蓋がほとんど浮かなくなる。
【００１２】
加えて、上記手段１によれば、鍔部を構成する張出部は高強度材からなる環体により構成されているため、張出部の表面と取付対象物の表面とがほぼ面一となるように鍔部（張出部）を薄肉とした場合であっても、鍔部において十分な強度を維持することができる。その結果、鍔部の破損防止を図ることができるとともに、取付対象物に対するガイド部材の取付状態をより安定化させることができる。
【００１３】
ところで、環体（基部及び張出部）を均一に薄肉とした場合には、環体の凹部に対する筒体の入り込み量を十分に確保することができず、取付部材に対するガイド部材（筒体）の取付などに伴い筒体に対して環体から離間する方向への力が加わった場合に、環体から筒体が外れてしまうおそれがある。また、環体を均一に薄肉とした場合には、外周側に向けた張出部の突出量が比較的大きなものとなるため、取付部材に対するガイド部材（筒体）の取付などに伴い張出部に対して力が加わった場合に、張出部のうち基部に連接される部位へと加わる応力が大きくなり、張出部の変形が生じやすくなってしまうおそれがある。
【００１４】
この点、上記手段１によれば、基部の肉厚が、張出部の肉厚よりも大きくされているため、凹部に対する筒体の入り込み量を十分に確保することができる。従って、筒体に対して環体から離間する方向へと力が加わった場合であっても、環体から筒体が外れてしまうという事態が生じにくくなる。その結果、筒体及び環体を極めて強固に固定することができる。
【００１５】
さらに、基部の肉厚が、張出部の肉厚よりも大きくされているため、外周側に向けた張出部の突出量を比較的小さなものとすることができる。従って、張出部に対して力が加わった場合において、張出部のうち基部に連接される部位へと加わる応力を十分に小さくすることができる。その結果、張出部の変形をより確実に抑制することができ、優れた外観品質を一層確実に維持することができる。
【００１６】
手段２．前記凹部は、前記環体の周方向に沿って間欠的に設けられることを特徴とする手段１に記載の操作装置。
【００１７】
上記手段２によれば、環体に対する筒体の相対回転を規制することができる。その結果、筒体及び環体をより安定した状態で固定することができる。
【００１８】
手段３．前記張出部は、前記筒体のうち前記操作ボタンが内周に配置される部位の外周及び内周の径方向に沿った中間位置よりも外周側において、前記基部から突出することを特徴とする手段１又は２に記載の操作装置。
【００１９】
上記手段３によれば、張出部は、筒体のうち操作ボタンが内周に配置される部位の外周及び内周の中間よりも外周側において、基部から突出するように構成されている。すなわち、外周側に向けた張出部の突出量がより小さなものとなるように構成されている。従って、張出部に対して力が加わった場合において、張出部のうち基部に連接される部位へと加わる応力をより一層小さくすることができる。その結果、張出部の変形抑制効果をより高めることができ、優れた外観品質をより一層確実に維持できる。
【００２０】
手段４．前記凹部は、その底面からその他端側側面にかけて湾曲状の湾曲面を有することを特徴とする手段１乃至３のいずれかに記載の操作装置。
【００２１】
凹部において、その底面とその下方側側面とが直交するように構成した場合において、筒体に対して環体から離間する方向に向けて力が加わると、前記底面と前記下方側側面との間の角部に応力が集中的に加わってしまう。そのため、前記角部を基点として、環体に変形が生じてしまい、ひいては環体から筒体が外れてしまうといった事態が生じてしまうおそれがある。
【００２２】
この点、上記手段４によれば、凹部は、その底面からその他端側側面にかけて湾曲状の湾曲面を有するように構成されている。従って、筒体に対して環体から離間する方向に向けて力が加わった場合において、前記底面と前記他端側側面との間に加わる応力を分散させることができる。その結果、環体の変形をより確実に防止することができ、環体から筒体が外れてしまうといった事態をより一層確実に防止することができる。
【００２３】
手段５．前記張出部の外周面は、前記取付対象物の表面側に向けて徐々に外径が大きくなるテーパ状とされることを特徴とする手段１乃至４のいずれかに記載の操作装置。
【００２４】
上記手段５によれば、張出部の外周面は、取付対象物の表面側に向けて徐々に外径が大きくなるテーパ状とされている。従って、取付対象物の表面から張出部の表面にかけて角張った部位が形成されることを抑制でき、滑らかな表面形状を呈することができる。その結果、外観品質をより一層向上させることができるとともに、優れた安全性及び清掃性を実現することができる。
【００２５】
手段６．前記張出部は、前記取付対象物に設けられた凹状の窪み部に配置されることを特徴とする手段１乃至５のいずれかに記載の操作装置。
【００２６】
上記手段６によれば、取付対象物に設けられた環状の窪み部に対して、張出部が配置されるように構成されている。従って、取付対象物の表面に対する張出部の突出を極めて効果的に抑制することができる。その結果、外観品質の更なる向上を図ることができるとともに、風呂蓋等の蓋を鍔部上に載置した場合における蓋の浮きをより一層確実に防止することができる。
【図面の簡単な説明】
【００２７】
【図１】浴槽に取付けられた操作装置等を示す一部破断正面図である。
【図２】操作装置の構成を示す拡大断面図である。
【図３】ガイド部材等を示す部分拡大断面図である。
【図４】（ａ）は、環体の断面図であり、（ｂ）は、環体の一部破断底面図であり、（ｃ）は、環体の斜視図である。
【図５】環体の部分拡大断面図である。
【図６】別の実施形態における浴槽等の構成を示す一部破断正面図である。
【図７】（ａ）は、別の実施形態における環体の底面図であり、（ｂ）は、図７（ａ）のＪ−Ｊ線断面図であり、（ｃ）は、図７（ａ）のＫ−Ｋ線断面図である。
【発明を実施するための形態】
【００２８】
以下に、一実施形態について図面を参照しつつ説明する。図１に示すように、操作装置１は、取付対象物としての浴槽１００に取り付けられており、図２に示すように、ガイド部材２と、取付部材３と、操作ボタン４と、操作機構５と、伝達部材６と、継手機構７とを備えている。
【００２９】
ガイド部材２は、浴槽１００の側壁部１０１（図１参照）の上方から外周側に延びるフランジ部１０２に取付けられており、樹脂等により筒状に形成されている。また、ガイド部材２は、外周に設けられた雄ねじ部２１（本発明の「被取付部」に相当する）と、自身の一端部（上端部）に設けられ、外周側に突出する鍔部２２とを備えている。雄ねじ部２１は、前記フランジ部１０２に形成された貫通孔１０３に挿通されており、前記鍔部２２は、フランジ部１０２の表面に配置されている。加えて、ガイド部材２の他端側（下端側）外周には、凹状をなし、周方向に沿って延びる環状の被係止部２３が設けられている。尚、ガイド部材２の構成については、後に詳述する。
【００３０】
取付部材３は、環状をなすとともに、所定の樹脂により形成されており、自身の内周に前記雄ねじ部２１を螺合可能な雌ねじ部３１（本発明の「取付部」に相当する）を備えている。そして、雌ねじ部３１が、前記鍔部２２との間でフランジ部１０２を挟み込むようにして前記雄ねじ部２１に螺合され、取付部材３及び鍔部２２によりフランジ部１０２を挟み込むことで、浴槽１００（フランジ部１０２）に対してガイド部材２が取付けられている。
【００３１】
加えて、取付部材３の一端面（上端面）とフランジ部１０２との間には、ゴム等により形成された環状のシール部材８が設けられている。
【００３２】
操作ボタン４は、前記ガイド部材２の内周に配置されており、自身の表面が浴槽１００の表面に露出する円板部４１と、前記円板部４１の中心部背面から他端側（下方側）に向けて延びる筒状の嵌合部４２とを備えている。また、外観品質の向上を図るべく、円板部４１は、その表面が所定の金属（例えば、ステンレスなど）からなる被覆部４１Ａで覆われている。
【００３３】
前記操作機構５は、ガイド部材２の中心軸に沿って延び、当該中心軸に沿って往復移動可能な樹脂製の支持軸５１を備えており、当該支持軸５１の先端部が前記嵌合部４２に嵌合されている。これにより、操作ボタン４は、ガイド部材２の軸方向に沿って往復移動可能な状態で支持軸５１に取付けられている。尚、操作ボタン４の移動時には、前記円板部４１の外周面がガイド部材２の内周に沿うようにして移動する。すなわち、操作ボタン４は、ガイド部材２によってその移動がガイドされるようになっている。
【００３４】
伝達部材６は、金属製のワイヤーにより形成されるとともに、一端が前記操作機構５に接続され、他端が浴槽１００の排水口１０４に設けられた栓蓋１０５を支持する栓蓋支持機構１０６に接続されている（図１参照）。また、伝達部材６は、自身の外周に設けられた筒状の外皮６１に対して往復移動可能に構成されており、操作ボタン４（支持軸５１）の変位に伴い、外皮６１内を往復移動するようになっている。そして、操作ボタン４の変位に伴い、前記栓蓋１０５が上下動し、ひいては前記排水口１０４が開閉するようになっている。
【００３５】
継手機構７は、所定の樹脂により形成されており、自身の内周側に形成された内筒部７１により、前記操作機構５を保持している。また、継手機構７の一端側（上端側）外周には、周方向に沿って延びる環状の第１突条部７２と、継手機構７の軸方向に沿って前記第１突条部７２から他端側に離間した位置に設けられ、周方向に沿って延びる環状の第２突条部７３とが形成されている。そして、両突条部７２，７３の間に形成された環状の溝部７４に対して、弾性変形可能な所定の樹脂等からなるリング部材９が配置されている。
【００３６】
リング部材９は、周方向の一部に開口部を有するＣ字状をなしており、自身の弾性変形により前記開口部を拡幅可能に構成されている。そして、リング部材９は、拡幅状態とした前記開口部に継手機構７を通すことにより、前記溝部７４に配置されている。加えて、リング部材９の内周部分の一部は、継手機構７の内周に突出しており、前記被係止部２３に対して係止されている。これにより、継手機構７とガイド部材２とが接続されている。
【００３７】
さらに、継手機構７の他端部（下端側）外周には、所定の樹脂により形成された筒状の配管１０７の一端部が接続されている（図１参照）。そして、前記配管１０７の他端部は、排水口１０４に接続され内部が排水流路となる管体１０８に接続されており、継手機構７の内部に浸入した水は、配管１０７を通して管体１０８側へと排水されるようになっている。
【００３８】
次いで、ガイド部材２の構成について詳述する。ガイド部材２は、図３に示すように、前記雄ねじ部２１を外周に有する樹脂製の筒体２４と、所定の高強度材〔例えば、鉄、銅、チタン、及び、アルミニウム等のいずれかを含む金属（例えば、ステンレスや真鍮等）、セラミック、ＰＰＳ等の強度に優れる樹脂など〕からなる環状の環体２５とを備えている。環体２５は、図４（ａ）〜（ｃ）に示すように、前記筒体２４の軸方向に沿って延びる筒状の基部２６と、前記基部２６の一端部（上端部）から外周側に突出し前記鍔部２２を構成する張出部２７とを有している。また、基部２６の外周には、環体２５の周方向に沿って間欠的に（本実施形態では、等間隔に）複数の凹部２６Ａが設けられている。そして、図３に示すように、筒体２４の一端（上端）が張出部２７の背面側に配置された状態で、各凹部２６Ａに対して筒体２４が入り込むことで、筒体２４及び環体２５が固定されている。尚、本実施形態において、筒体２４及び環体２５は、インサート成形により一体化されている。
【００３９】
また、本実施形態では、浴槽１００にガイド部材２を取付けた状態において、張出部２７の表面と、浴槽１００（フランジ部１０２）のうち張出部２７の外周側に位置する部位の表面とがほぼ面一とされている。尚、「ほぼ面一」とあるのは、張出部２７の表面と浴槽１００の表面とが厳密に面一となっている場合のみならず、両者の間に若干（例えば、１ｍｍ以下）の段差があってもよいという趣旨であり、本実施形態では、張出部２７の厚さが１．０ｍｍ以下とされている。
【００４０】
加えて、図４（ａ）に示すように、基部２６（凹部２６Ａを除いた部位）の肉厚Ｔ１は、張出部２７の肉厚Ｔ２よりも大きなものとされている。
【００４１】
さらに、図３に示すように、張出部２７は、筒体２４のうち操作ボタン４が内周に配置される部位の外周及び内周の径方向に沿った中心ＣＮよりも外周側において、基部２６から外周側に突出するように構成されている。
【００４２】
また、各凹部２６Ａは、図５に示すように、その底面２６Ｂからその他端側（下方側）側面２６Ｓにかけて湾曲状の湾曲面２６Ｒを有するように構成されている。
【００４３】
併せて、張出部２７の外周面２７Ａは、浴槽１００（フランジ部１０２）の表面側に向けて徐々に外径が大きくなるテーパ状とされている。
【００４４】
以上詳述したように、本実施形態によれば、鍔部２２を構成する張出部２７の表面と、浴槽１００（フランジ部１０２）のうち張出部２７の外周側に位置する部位の表面とがほぼ面一とされている。従って、外観品質を向上させることができるとともに、鍔部２２（張出部２７）と浴槽１００の表面との間に対する汚れの付着を抑制することができ、さらには清掃性の向上を図ることができる。また、風呂蓋等の蓋を閉めた場合において、蓋を鍔部２２上に載置した場合であっても、蓋がほとんど浮かなくなる。
【００４５】
加えて、鍔部２２を構成する張出部２７は高強度材からなる環体２５により構成されているため、鍔部２２（張出部２７）において十分な強度を維持することができる。その結果、鍔部２２の破損防止を図ることができるとともに、浴槽１００に対するガイド部材２の取付状態をより安定化させることができる。
【００４６】
さらに、本実施形態では、基部２６の肉厚Ｔ１が、張出部２７の肉厚Ｔ２よりも大きくされているため、凹部２６Ａに対する筒体２４の入り込み量を十分に確保することができる。従って、環体２５から筒体２４が外れにくくなり、筒体２４及び環体２５を極めて強固に固定することができる。
【００４７】
加えて、基部２６の肉厚Ｔ１が、張出部２７の肉厚Ｔ２よりも大きくされているため、外周側に向けた張出部２７の突出量を比較的小さなものとすることができる。従って、張出部２７に対して力が加わった場合において、張出部２７のうち基部２６に連接される部位へと加わる応力を十分に小さくすることができる。その結果、張出部２７の変形をより確実に抑制することができ、優れた外観品質を一層確実に維持することができる。
【００４８】
併せて、凹部２６Ａは、環体２５の周方向に沿って間欠的に設けられているため、環体２５に対する筒体２４の相対回転を規制することができる。その結果、筒体２４及び環体２５をより安定した状態で固定することができる。
【００４９】
また、張出部２７は、筒体２４のうち操作ボタン４が内周に配置される部位の外周及び内周の中間ＣＮよりも外周側において、基部２６から突出するように構成されている。すなわち、外周側に向けた張出部２７の突出量がより小さなものとなるように構成されている。従って、張出部２７に力が加わった場合において、張出部２７のうち基部２６に連接される部位へと加わる応力をより一層小さくすることができる。その結果、張出部２７の変形抑制効果をより高めることができ、優れた外観品質をより一層確実に維持できる。
【００５０】
さらに、凹部２６Ａは、その底面２６Ｂからその他端側側面２６Ｓにかけて湾曲状の湾曲面２６Ｒを有するように構成されている。従って、筒体２４に対して環体２５から離間する方向に向けて力が加わった場合において、前記底面２６Ｂと前記他端側側面２６Ｓとの間に加わる応力を分散させることができる。その結果、環体２５の変形をより確実に防止することができ、環体２５から筒体２４が外れてしまうといった事態をより一層確実に防止することができる。
【００５１】
加えて、張出部２７の外周面２７Ａは、浴槽１００（フランジ部１０２）の表面側に向けて徐々に外径が大きくなるテーパ状とされている。従って、浴槽１００の表面から張出部２７の表面にかけて角張った部位が形成されることを抑制でき、滑らかな表面形状を呈することができる。その結果、外観品質をより一層向上させることができるとともに、優れた安全性及び清掃性を実現することができる。
【００５２】
尚、上記実施形態の記載内容に限定されず、例えば次のように実施してもよい。勿論、以下において例示しない他の応用例、変更例も当然可能である。
【００５３】
（ａ）上記実施形態では、被取付部として雄ねじ部２１を示しており、取付部として雌ねじ部３１を示しているが、被取付部及び取付部は、これらに限定されるものではなく、ガイド部材２及び取付部材３を固定可能な手段であればよい。従って、例えば、被取付部として、外周側に突出する段部、又は、周方向に沿って延びる溝部を設けるとともに、取付部として、径方向に沿って弾性変形可能であるとともに、前記段部や溝部に係止可能な爪部を設け、段部や溝部に爪部を係止することで、ガイド部材２及び取付部材３を固定することとしてもよい。
【００５４】
（ｂ）上記実施形態において、浴槽１００のうち、操作装置１の取付けられる部位（フランジ部１０２）の表面は平坦状とされているが、図６に示すように、浴槽１００（フランジ部１０２）の表面に凹状の窪み部１００Ａを設け、前記張出部２７が窪み部１００Ａに配置されるように構成してもよい。この場合には、浴槽１００（フランジ部１０２）の表面に対する張出部２７の突出を極めて効果的に抑制することができる。その結果、外観品質の更なる向上を図ることができるとともに、風呂蓋等の蓋を鍔部２２（張出部２７）上に載置した場合における蓋の浮きをより一層確実に防止できる。
【００５５】
（ｃ）上記実施形態における凹部２６Ａの構成は例示であって、その構成は特に限定されるものではない。従って、例えば、図７（ａ）〜（ｃ）に示すように、基部２６の他端（下端）に、外周側に突出する突起部２６Ｐを周方向に沿って間欠的に設け、当該突起部２６Ｐと基部２６の一端側外周部２６Ｃとの間に、凹部２６Ａを形成することとしてもよい。
【００５６】
（ｄ）上記実施形態において、操作装置１は、取付対象物としての浴槽１００に取付けられているが、操作装置１の取付対象は浴槽１００に限られるものではない。従って、例えば、浴槽以外の槽体（例えば、洗面器や流し台など）に操作装置１を取付けることとしてもよい。また、槽体の近傍に設けられた構造物（例えば、流し台のカウンタ等）に操作装置１を取付けることとしてもよい。
【００５７】
（ｅ）上記実施形態では、取付部材３及び継手機構７が別体とされているが、継手機構を取付部材と一体とし、継手機構が一体とされた取付部材をガイド部材２に取付けるように構成してもよい。
【符号の説明】
【００５８】
１…操作装置、２…ガイド部材、３…取付部材、４…操作ボタン、２１…雄ねじ部（被取付部）、２２…鍔部、２４…筒体、２５…環体、２６…基部、２６Ａ…凹部、２７…張出部、２６Ｒ…湾曲面、３１…雌ねじ部（取付部）、１００…浴槽（取付対象物）、１００Ａ…窪み部。
【図１】
0005986806.tif 000002
【図２】
0005986806.tif 000003
【図３】
0005986806.tif 000004
【図４】
0005986806.tif 000005
【図５】
0005986806.tif 000006
【図６】
0005986806.tif 000007
【図７】
0005986806.tif 000008